(57)【特許請求の範囲】
【請求項１】
目地部側の左右の建物のパラペットあるいは、該左右のパラペットに固定された水切り台に前後左右方向にスライド移動可能に支持された笠木カバー支持フレームと、この笠木カバー支持フレームのほぼ中央部を前記目地部の中央部に常時位置させる両端部が目地部側の左右のパラペットあるいは、左右の躯体に枢支された中央維持装置と、前記笠木カバー支持フレームに取付けられた前記目地部を覆う両端部の先端部が前記左右の建物の前後端部に位置する下部開口のコ字状の面台が形成された笠木カバーと、前記両端部の面台の端部を覆うアングル状の該面台上を移動可能な小口カバーと、前記笠木カバー支持フレームのほぼ中央部に取付けられたガイド筒と、このガイド筒に一端部がスライド移動可能に取付けられ、他端部が前記小口カバーのほぼ中央部に枢支された、該小口カバーを水平方向に回動可能に支持する小口カバー支持具と、前記面台の両側端部にそれぞれ形成された支持凹部と、この支持凹部に挿入支持される前記小口カバーの両端部にそれぞれ形成された支持片と、これらの支持片を常時前記支持凹部にそれぞれ挿入支持されるように付勢する付勢スプリングとからなることを特徴とする笠木装置。
【請求項２】
目地部側の左右の建物のパラペットに固定された水切り台に前後左右方向にスライド移動可能に支持された笠木カバー支持フレームと、この笠木カバー支持フレームのほぼ中央部を前記目地部の中央部に常時位置させる両端部が目地部側の左右のパラペットあるいは、左右の躯体に枢支された中央維持装置と、前記笠木カバー支持フレームに取付けられた前記目地部を覆う両端部の先端部が前記左右の建物の前後端部に位置する下部開口のコ字状の面台が形成された笠木カバーと、前記両端部の面台の端部を覆うアングル状のフレームにカバー材が取付けられた、該面台上を移動可能な小口カバーと、前記笠木カバー支持フレームのほぼ中央部に取付けられたガイド筒と、このガイド筒に一端部がスライド移動可能に取付けられ、他端部が前記小口カバーのほぼ中央部のフレーム材に枢支され、該小口カバーを水平方向に回動可能に支持する小口カバー支持具と、前記面台の両側端部にそれぞれ形成された支持凹部と、この支持凹部に挿入支持される前記小口カバーの両端部にそれぞれ形成された棒状の支持片と、これらの支持片を常時前記支持凹部にそれぞれ挿入支持されるように付勢する付勢スプリングとからなることを特徴とする笠木装置。  
【請求項３】
目地部側の左右の建物のパラペットあるいは、該左右のパラペットに固定された水切り台に前後左右方向にスライド移動可能に支持された笠木カバー支持フレームと、この笠木カバー支持フレームのほぼ中央部を前記目地部の中央部に常時位置させる両端部が目地部側の左右のパラペットあるいは、左右の躯体に枢支された中央維持装置と、前記笠木カバー支持フレームに取付けられた前記目地部を覆う両端部の先端部が前記左右の建物の前後端部に位置する笠木カバーと、この笠木カバーの両端部を覆う移動可能な小口カバーと、前記笠木カバー支持フレームのほぼ中央部に取付けられたガイド筒と、このガイド筒に一端部がスライド移動可能に取付けられ、他端部が前記小口カバーのほぼ中央部に枢支された、該小口カバーを水平方向に回動可能に支持する小口カバー支持具と、前記笠木カバーの両側端部にそれぞれ形成された支持凹部と、この支持凹部に挿入支持される前記小口カバーの両端部にそれぞれ形成された支持片と、これらの支持片を常時前記支持凹部にそれぞれ挿入支持されるように付勢する付勢スプリングとからなることを特徴とする笠木装置。
【発明の詳細な説明】
【技術分野】
【０００１】
本発明は笠木装置に関する。
【背景技術】
【０００２】
従来の笠木装置は笠木カバーの両端部にスライド移動可能な小口カバーを取付け、地震時の左右の建物の前後方向の移動時の損傷を防止している。
【０００３】
しかし、笠木カバーの端部にスライド移動可能に取付けられた小口カバーのスライド移動時には、小口カバーの中央部より外れた部位が左右の建物の躯体と当接して押し圧されるため、平行移動がしずらく、小口カバーを長期間スムーズにスライド移動させることができないという欠点があった。
【特許文献１】特になし
【発明の開示】
【発明が解決しようとする課題】
【０００４】
本発明は以上のような従来の欠点に鑑み、左右の建物のどんな揺れ動きであっても、小口カバーをスムーズに移動させて、小口カバーが損傷するのを阻止するとともに、揺れ動きが停止すると自動的に元の状態へ戻すことができる笠木装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部側の左右の建物のパラペットあるいは、該左右のパラペットに固定された水切り台に前後左右方向にスライド移動可能に支持された笠木カバー支持フレームと、この笠木カバー支持フレームのほぼ中央部を前記目地部の中央部に常時位置させる両端部が目地部側の左右のパラペットあるいは、左右の躯体に枢支された中央維持装置と、前記笠木カバー支持フレームに取付けられた前記目地部を覆う両端部の先端部が前記左右の建物の前後端部に位置する下部開口のコ字状の面台が形成された笠木カバーと、前記両端部の面台の端部を覆うアングル状の該面台上を移動可能な小口カバーと、前記笠木カバー支持フレームのほぼ中央部に取付けられたガイド筒と、このガイド筒に一端部がスライド移動可能に取付けられ、他端部が前記小口カバーのほぼ中央部に枢支された、該小口カバーを水平方向に回動可能に支持する小口カバー支持具と、前記面台の両側端部にそれぞれ形成された支持凹部と、この支持凹部に挿入支持される前記小口カバーの両端部にそれぞれ形成された支持片と、これらの支持片を常時前記支持凹部にそれぞれ挿入支持されるように付勢する付勢スプリングとで笠木装置を構成している。
【発明の効果】
【０００７】
以上の説明から明らかなように、本発明にあっては次に列挙する効果が得られる。
【０００８】
（１）目地部側の左右の建物のパラペットあるいは、該左右のパラペットに固定された水切り台に前後左右方向にスライド移動可能に支持された笠木カバー支持フレームと、この笠木カバー支持フレームのほぼ中央部を前記目地部の中央部に常時位置させる両端部が目地部側の左右のパラペットあるいは、左右の躯体に枢支された中央維持装置と、前記笠木カバー支持フレームに取付けられた前記目地部を覆う両端部の先端部が前記左右の建物の前後端部に位置する下部開口のコ字状の面台が形成された笠木カバーと、前記両端部の面台の端部を覆うアングル状の該面台上を移動可能な小口カバーと、前記笠木カバー支持フレームのほぼ中央部に取付けられたガイド筒と、このガイド筒に一端部がスライド移動可能に取付けられ、他端部が前記小口カバーのほぼ中央部に枢支された、該小口カバーを水平方向に回動可能に支持する小口カバー支持具と、前記面台の両側端部にそれぞれ形成された支持凹部と、この支持凹部に挿入支持される前記小口カバーの両端部にそれぞれ形成された支持片と、これらの支持片を常時前記支持凹部にそれぞれ挿入支持されるように付勢する付勢スプリングとで構成されているので、小口カバーを前後方向に移動させることができるとともに、ほぼ中央部を支点に水平方向に回動させることができる。
したがって、小口カバーを移動させる押し圧力がどんな部位に加わっても、スムーズに移動して小口カバーが損傷するのを効率よく阻止することができる。
【０００９】
（２）前記（１）によって小口カバーを、ほぼ中央部を支点に水平方向に回動させることができる。
したがって、比較的大きな前後方向の揺れ動きもスムーズに吸収することができる。
【００１０】
（３）前記（１）によって、小口カバーを笠木カバーの両端部の面台上に移動可能に支持させているので、小口カバーを容易に移動可能に支持することができる。
したがって、長期間、小口カバーをスムーズに移動させることができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図１２に示す本発明を実施するための最良の第１の形態において、１は本発明の笠木装置で、この笠木装置１は目地部２側の左右の建物３、３のパラペット４、４に固定された水切り台５、５に前後左右方向にスライド移動可能に支持された笠木カバー支持フレーム６と、この笠木カバー支持フレーム６のほぼ中央部を前記目地部２の中央部に常時位置させる両端部が目地部側の左右のパラペット４、４あるいは左右の躯体３ａ、３ａに枢支された中央維持装置７と、前記笠木カバー支持フレーム６に取付けられた、前記目地部２を覆う両端部の先端部が前記左右の建物３、３の前後端部に位置する下部開口のコ字状の面台８、８が形成された笠木カバー９と、前記両端部の面台８、８の端部を覆い、かつ前記左右の建物３、３間の外壁部を覆う外壁目地カバー１０の上部を覆うアングル状の、該面台８、８上を移動可能な小口カバー１１、１１と、前記笠木カバー支持フレーム６のほぼ中央部に取付けられた角パイプ材を用いたガイド筒１２と、このガイド筒１２に一端部がスライド移動可能に取付けられ、他端部が前記小口カバー１１、１１のほぼ中央部に枢支された、該小口カバー１１、１１を水平方向に回動可能に支持する小口カバー支持具１３、１３と、前記面台８、８の両側端部にそれぞれ形成された支持凹部１４、１４、１４、１４と、この支持凹部１４、１４、１４、１４に挿入支持される、前記小口カバー１１、１１の両端部にそれぞれ形成された支持片１５、１５、１５、１５と、これらの支持片１５、１５、１５、１５を常時前記支持凹部１４、１４、１４、１４にそれぞれ挿入支持されるように付勢する一端部が該支持片１５、１５、１５、１５に取付けられ、他端部が前記支持凹部１４、１４、１４、１４に形成された透孔１６、１６、１６、１６を通過して、前記面台８、８の両側寄りの内側面８ａ、８ａに取付けられた付勢スプリング１７、１７、１７、１７とで構成されている。
【００１４】
前記水切り台５は図５に示すように、前記パラペット４の上面に複数本のビス１８等で固定された、上面が傾斜面１９の支持台２０に複数本のビス２１等で固定される水切り台本体２２と、この水切り台本体２２の下端部と一体形成された下方へ突出する水切り部２３と、前記水切り台本体２２の上端部と一体形成された上方へ突出し、上部がほぼ水平方向に折り曲げられた支持部２４と、この支持部２４の上部に所定間隔で固定された複数個のコ字状のガイド部材２５とで構成されている。
【００１５】
前記笠木カバー支持フレーム６は図６に示すように、前記水切り台５、５の対応するガイド部材２５、２５を両端部寄りの部位が通過する複数個の横桟２６と、この複数個の横桟２６のほぼ中央部に固定されたガイド筒１２と、前記複数個の横桟２６の両端部に固定された笠木カバー取付けバー２７、２７とで構成されている。
【００１６】
前記中央維持装置７は図７に示すように、所定間隔で目地部側の左右のパラペット４、４あるいは左右の躯体３ａ、３ａに両端部の枢支金具２８、２８が取付けられる中央部に中央枢支部２９を有する、少なくとも２個以上のパンタグラフ形状の伸縮リンク機構３０、３０と、この伸縮リンク機構３０、３０の中央枢支部２９、２９に一端部が枢支され、他端部が前記笠木カバー支持フレーム６の横桟２６の中央部あるいはガイド筒１２のいずれかに取付けられた支持杆３１、３１とで構成されている。
【００１７】
前記笠木カバー９は図８に示すように、山形形状の笠木カバー本体３２と、この笠木カバー本体３２の両端部より下方へ突出し、前記笠木カバー支持フレーム６の笠木カバー取付けバー２７、２７に複数本のビス３３で固定される両側部材３４、３４と、前記笠木カバー本体３２の両端部に一体あるいは固定的に取付けられた面台８、８と、この面台８、８の先端部の上面に形成された排水溝３５と、前記面台８、８の先端部の両側面に形成された透孔１６を有する支持凹部１４、１４、１４、１４とで構成されている。
【００１８】
前記小口カバー１１は図９に示すように、中央部に補強バー３６を有する長方形状の枠３７、３７をアングル状に形成した小口カバーフレーム３８と、この小口カバーフレーム３８の外面を覆うカバー材３９とで構成され、外側に位置する小口カバーフレーム３８の両端部のフレーム材３８ａ、３８ａには支持片１５、１５が固定され、中央部の補強バー３６には玉縁形状の枢支軸４０が取付けられている。
【００１９】
前記小口カバー支持具１３は図１０に示すように、ガイド筒１２をスライド移動するスライドバー４１と、このスライドバー４１の先端部に取付けられた、前記小口カバー１１の枢支軸４０を枢支するＣ字状の軸受部４２とで構成されている。
【００２０】
上記構成の笠木装置１は左右の建物３、３が異なる左右方向に揺れ動いた場合には、図１１に示すように笠木カバー９の中央部を目地部２の中央部に常時位置するように中央維持装置７で、笠木カバー支持フレーム６および笠木カバー９を移動位置させて、その揺れ動きを吸収する。
【００２１】
左右の建物３、３が異なる前後方向に揺れ動いた場合には、図１２に示すように左右の建物３、３のいずれか一方の建物３の躯体３ａが外壁用目地カバー１０を介して外方へ押し圧するため、小口カバー１１は中央部を小口カバー支持具１３、１３で枢支された状態で付勢スプリング１７、１７の付勢力に抗して水平方向に回動して、その揺れ動きを吸収する。
この時、小口カバー１１に大きな押し圧力が作用しないように、小口カバー支持具１３、１３も外方へ自動的にスライド移動する。
揺れ動きが停止した場合には、付勢スプリング１７、１７の付勢力によって、自動的に元の状態へ戻る。
[発明を実施するための異なる形態]
【００２２】
次に、図１３ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１３ないし図１６に示す本発明を実施するための第２の形態において、前記本発明を実施するための最良の第１の形態と主に異なる点は、笠木カバー支持フレーム６のほぼ中央部の両端部にガイド筒１２Ａ、１２Ａを固定するとともに、左右の躯体３ａ、３ａに枢支金具４３、４３で枢支されたラック４４、４４、このラック４４、４４と噛み合うピニオン４５、このピニオン４５を常時前記ラック４４、４４と噛み合わせるように支持する、該ラック４４、４４がスライド移動可能なピニオン支持部材４６とからなる中央維持機構４７、４７を用いた中央維持装置７Ａを用いた点で、このように構成した笠木装置１Ａにしても、前記本発明を実施するための最良の第１の形態と同様な作用効果が得られる。
【００２４】
図１７ないし図２０に示す本発明を実施するための第３の形態において、前記本発明を実施するための最良の第１の形態と主に異なる点は、左右のパラペット４、４の上面に固定され長孔４８の支持部４９が形成された複数個の支持部材５０に笠木カバー支持フレーム６の横桟２６を支持させた点で、このように構成した笠木装置１Ｂにしても、前記本発明を実施するための最良の第１の形態と同様な作用効果が得られる。
【００２５】
図２１ないし図２５に示す本発明を実施するための第４の形態において、前記本発明を実施するための最良の第１の形態と主に異なる点は、面台8が形成されていない笠木カバー９Ａと、この笠木カバー９Ａとほぼ同じ山型形状の山型カバー部５１、ガイド筒１２の内部をローラー５２、５２により滑らかにスライドするスライドバー４１の端部に取付けた下地バー５３、小口カバー下地材５４および小口カバー本体５５からなる小口カバー１１Ａと、前記ガイド筒１２の下部の端部寄りの部位と前記下地バー５３の上部との間に取付けた付勢スプリング５６とで構成した笠木装置１Ｃにしても、前記本発明を実施するための最良の第１の形態と同様な作用効果が得られる。
なお、本実施の形態では、建物３の角部で縦方向、横方向のパラペット４、４の間で横方向のパラペット４が低くなり段差が付くように形成し、水切り台５Ａの水切り部２３Ａに前記横方向のパラペット４が貫通するための切欠き部がない形状にしているが、前記本発明を実施するための各形態においても、同様の対応が可能である。
【産業上の利用可能性】
【００２６】
本発明は笠木装置を製造する産業で利用される。
【図面の簡単な説明】
【００２７】
【図１】本発明を実施するための最良の第１の形態の平面図。
【図２】本発明を実施するための最良の第１の形態の正面図。
【図３】図１の３−３線に沿う拡大断面図。
【図４】本発明を実施するための最良の第１の形態の笠木カバーを外した状態の平面図。
【図５】本発明を実施するための最良の第１の形態の水切り台の説明図。
【図６】本発明を実施するための最良の第１の形態の笠木カバー支持フレームの説明図。
【図７】本発明を実施するための最良の第１の形態の中央維持装置の説明図。
【図８】本発明を実施するための最良の第１の形態の笠木カバーの説明図。
【図９】本発明を実施するための最良の第１の形態の小口カバーの説明図。
【図１０】本発明を実施するための最良の第１の形態の小口カバー支持具の説明図。
【図１１】本発明を実施するための最良の第１の形態の異なる左右方向に揺れ動いた状態の説明図。
【図１２】本発明を実施するための最良の第１の形態の異なる前後方向に揺れ動いた状態の説明図。
【図１３】本発明を実施するための第２の形態の平面図。
【図１４】図１３の１４−１４線に沿う拡大断面図。
【図１５】本発明を実施するための第２の形態の笠木カバーを外した状態の説明図。
【図１６】本発明を実施するための第２の形態の中央維持装置の説明図。
【図１７】本発明を実施するための第３の形態の平面図。
【図１８】図１７の１８−１８線に沿う拡大断面図。
【図１９】本発明を実施するための第３の形態の支持部材の説明図。
【図２０】本発明を実施するための第３の形態の笠木カバーを外した状態の説明図。
【図２１】本発明を実施するための第４の形態の平面図。
【図２２】図２１の２２−２２線に沿う拡大断面図。
【図２３】本発明を実施するための第４の形態の小口カバーの説明図。
【図２４】本発明を実施するための第４の形態のスライドバーの説明図。
【図２５】本発明を実施するための第４の形態の異なる前後方向に揺れ動いた状態の説明図。
【符号の説明】
【００２８】
１、１Ａ、１Ｂ、１Ｃ：笠木装置、    ２：目地部、
３：建物、                          ４：パラペット、
５、５Ａ：水切り台、                ６：笠木カバー支持フレーム、
７、７Ａ：中央維持装置、            ８：面台、
９、９Ａ：笠木カバー、              １０：外壁用目地カバー、
１１、１１Ａ：小口カバー、          １２、１２Ａ：ガイド筒、
１３：小口カバー支持具、            １４：支持凹部、
１５：支持片、                      １６：透孔、
１７：付勢スプリング、              １８：ビス、
１９：傾斜面、                      ２０：支持台、
２１：ビス、                        ２２：水切り台本体、
２３、２３Ａ：水切り部、            ２４：支持部、
２５：ガイド部材、                  ２６：横桟、
２７：笠木カバー取付バー、          ２８：枢支金具、
２９：中央枢支部、                  ３０：伸縮リンク機構、
３１：支持杆、                      ３２：笠木カバー本体、
３３：ビス、                        ３４：両側部材、
３５：排水溝、                      ３６：補強バー、
３７：枠、                          ３８：小口カバーフレーム、
３９：カバー材、                    ４０：枢支軸、
４１：スライドバー、                ４２：軸受部、
４３：枢支金具、                    ４４：ラック、
４５：ピニオン、                    ４６：ピニオン支持部材、
４７：中央維持機構、                ４８：長孔、
４９：支持部、                      ５０：支持部材、
５１：山型カバー部、                ５２：ローラー、
５３：下地バー、                    ５４：小口カバー下地材、
５５：小口カバー本体、              ５６：付勢スプリング。
【図１】
0004452227.tif 000002
【図２】
0004452227.tif 000003
【図３】
0004452227.tif 000004
【図４】
0004452227.tif 000005
【図５】
0004452227.tif 000006
【図６】
0004452227.tif 000007
【図７】
0004452227.tif 000008
【図８】
0004452227.tif 000009
【図９】
0004452227.tif 000010
【図１０】
0004452227.tif 000011
【図１１】
0004452227.tif 000012
【図１２】
0004452227.tif 000013
【図１３】
0004452227.tif 000014
【図１４】
0004452227.tif 000015
【図１５】
0004452227.tif 000016
【図１６】
0004452227.tif 000017
【図１７】
0004452227.tif 000018
【図１８】
0004452227.tif 000019
【図１９】
0004452227.tif 000020
【図２０】
0004452227.tif 000021
【図２１】
0004452227.tif 000022
【図２２】
0004452227.tif 000023
【図２３】
0004452227.tif 000024
【図２４】
0004452227.tif 000025
【図２５】
0004452227.tif 000026